(57)【要約】【課題】  髪をセットするときに髪を巻くためのヘアーカーラーの使い勝手を向上させる。【解決手段】  ヘアーカーラーを、手で把持可能なグリップ２と、上記グリップから延設される表面が発熱する加熱棒体３からなる本体部１、上記加熱棒体に外挿される周囲に多数の整髪用の突起８を突設した合成樹脂製の毛髪巻胴部７、上記加熱棒体のヒーター４への常時給電手段、上記毛髪巻胴部材との間に髪の毛を挟持して固定するために毛髪巻胴部材に対し接離自在に取り付けられる押さえアーム９から構成する。【選択図】      図１
2015160077.tif 000002
【特許請求の範囲】
【請求項１】
手で把持可能なグリップと、上記グリップから延設される表面が発熱する加熱棒体からなる本体部、上記加熱棒体に外挿される周囲に多数の整髪用の突起を突設した合成樹脂製の毛髪巻胴部、上記加熱棒体のヒーターへの常時給電手段、上記毛髪巻胴部材との間に髪の毛を挟持して固定するために毛髪巻胴部材に対し接離自在に取り付けられる押さえアームを有することを特徴とするヘアーカーラー。
【請求項２】
毛髪巻胴部は本体部の加熱棒体に対し、着脱自在に構成される請求項１記載のヘアーカーラー。
【請求項３】
一つの本体部に対し、形状が異なる複数の種類の毛髪巻胴部が用意される請求項１記載のヘアーカーラー。
【発明の詳細な説明】
【技術分野】
【０００１】
この発明は髪をセットするときに髪を巻くためのヘアーカーラーに関する。
【背景技術】
【０００２】
多数の突起を突設した合成樹脂製の毛髪巻胴からなり、その表面を内部に設けた加熱手段により発熱させるヘアーカーラーが公知である（例えば、特許文献１、特許文献２）。
【０００３】
前記のヘアーカーラーは、毛髪巻胴に髪の毛を巻き付けた状態で加温状態で保持することにより、髪の毛に所望の巻き癖をつけるために使用される。そして、その場合、髪の毛を巻き付けた状態で保持するために、髪巻胴部との間に髪の毛を挟持して固定するためのクリップが使用される。
【先行技術文献】
【特許文献】
【０００４】
【特許文献１】特開２００１ー３７５２７号公報
【特許文献２】特開２００６ー１０２３７０号公報
【発明の概要】
【発明が解決しようとする課題】
【０００５】
前記したように、従来技術のヘアーカーラーは毛髪巻胴に髪の毛を巻き付けることにより使用に供されるが、そのためには両手の指でヘアーカーラーの両端を持ってヘアーカーラーを髪の毛に対し回転させる作業が必要である。一方、髪の毛は巻き付け対象となる部分の先端を持ってヘアーカーラーに対して延ばすことが必要となる。これらの作業には慣れが必要で、特に頭の頂部の髪の毛を巻き付ける場合は両手を頭の上まで高く持ち上げなければならず作業がし難かった。
【０００６】
一方、合成樹脂製の毛髪巻胴からなる従来技術のヘアーカーラーは電源を内蔵しておらず、ヘアーカーラーのプラグを給電スタンドに接続して毛髪巻胴に内装したヒーターにより表面を加熱した後に、給電スタンドから取り外し毛髪巻胴に蓄熱した熱により髪の毛を加温するようにしている（特許文献２）。従って、前記の作業は蓄熱している熱が冷めないうちに手早く行わう必要があり慌ただしかった。また、この場合、加温する温度を高くすれば蓄熱時間は長くなるが、前記したように使用者は両手の指でヘアーカーラーの両端を持つので、火傷の問題があり加温する温度はそれほど高くできなかった。
【０００７】
前記したように、従来技術のヘアーカーラーは蓄熱した熱により髪の毛を加温するので、髪の毛に所望の巻き癖をつけるには時間を要し、複数個のヘアーカーラーを髪の毛に巻き付けて固定し、巻き癖がつくまで待たなければならなかった。そのため、前記した作業上の問題も相まって、例えば朝の限られた時間に使用することは事実上不可能な問題があった。
【課題を解決するための手段】
【０００８】
この発明は前記の問題を解消したヘアーカーラーを提供することを目的としたものである。すなわち、この発明においては、ヘアーカーラーを、手で把持可能なグリップと、上記グリップから延設される表面が発熱する加熱棒体からなる本体部、上記加熱棒体に外挿される周囲に多数の整髪用の突起を突設した合成樹脂製の毛髪巻胴部、上記加熱棒体のヒーターへの常時給電手段、上記毛髪巻胴部材との間に髪の毛を挟持して固定するために毛髪巻胴部材に対し接離自在に取り付けられる押さえアームから構成したことを特徴とする
【０００９】
また、請求項２記載の発明は、前記のヘアーカーラーにおいて毛髪巻胴部を本体部の加熱棒体に対し着脱自在に構成したことを特徴とする。
【００１０】
また、請求項３記載の発明は、前記のヘアーカーラーにおいて一つの本体部に対し、形状が異なる複数の種類の毛髪巻胴部を用意したことを特徴とする。
【発明の効果】
【００１１】
この発明においては、手で把持可能なグリップから延設された加熱棒体に合成樹脂製の毛髪巻胴部が外挿されているので、毛髪巻胴に髪の毛を巻き付ける作業はグリップを持つことで行える。よって、作業は片手で容易に行うことができ、空いた片手で巻き付け対象となる髪の毛の先端を持つことができるので作業は飛躍的に楽になる。
【００１２】
一方、この発明のヘアーカーラーは加熱棒体のヒーターへの常時給電手段を備えるので、蓄熱した熱により髪の毛を加温する従来技術のヘアーカーラーのような温度の低下がないので、安定した熱量により髪の毛に所望の巻き癖をスピーディに付けることができ、従来技術のようにヘアーカーラーを髪の毛に巻き付けた状態で固定する必要がなく、従来時間と手間の問題で困難であった朝方の限られた時間内でのヘアーカーラーの使用が可能となる。
【００１３】
また、請求項２、３に係る発明によれば、一つの本体部に対し形状が異なる複数の種類の毛髪巻胴部が用意されるので、一つのヘアーカーラーでありながら、場面に応じた最適な形状の毛髪巻胴部を選択することが可能となる。
【図面の簡単な説明】
【００１４】
【図１】この発明のヘアーカーラーの斜視図
【図２】同上、分解斜視図。
【図３】同上、分解斜視図。
【発明を実施するための最良の形態】
【００１５】
以下、この発明の具体的実施例を添付図面に基づいて説明する。図１はこの発明のヘアーカーラーの全体を示す図である。このヘアーカーラーはグリップ２と、上記グリップから延設される加熱棒体３からなる本体部１、上記加熱棒体に外挿される毛髪巻胴部７、上記加熱棒体のヒーターへの常時給電手段、上記毛髪巻胴部材との間に髪の毛を挟持して固定するための押さえアーム９から構成される。
【００１６】
グリップ２は握ったり、指で摘んだりして本体部１を三次元方向に移動したり軸方向に回転させるためのものであり、弾性のあるプラスチックで構成したり、滑り止めなどを施してもよい。
【００１７】
加熱棒体３は内部にヒーター４を設けた構成よりなり、金属などの熱電導性に優れた素材により構成される。上記ヒーター４には常時給電手段となる外部への電源コード６が制御装置を介して接続される。図中符号５は使用者において通電のオンオフや温度の設定を行うためにグリップ２に取り付けられるスイッチである。
【００１８】
毛髪巻胴部７はやや弾性に富んだ合成樹脂素材で加熱棒体３に外挿可能な筒状に構成される。上記毛髪巻胴部７の表面には多数の突起８が突設される。この突起８は毛髪巻胴部７の外周に巻付ける毛髪を直線方向に揃えるための整髪用のものであって、ここでは円周に沿って半円弧状に突出するものを例示しているが、円周を一周する環状の突条であってもよい。
【００１９】
押さえアーム９は毛髪巻胴部７に髪の毛を巻き付けるに際して髪の毛の先端を毛髪巻胴部との間に挟持して固定するために使用するものであり、枢支部１０をもって本体部１に揺動自在に取り付けることにより、枢支部より前方の挟持部１２が毛髪巻胴部に対し接離自在とされる。そして、挟持部１２が毛髪巻胴部７表面に接した状態において、押さえアーム９の枢支部１０より後方の操作部１１を本体部１より上方に離隔して配すると共に、挟持部を巻き棒表面に向かう方向に付勢する。その結果、操作部１１を指先などで本体部１に押さえつけたり、押さえつける力を弱めることにより挟持部１２がシーソー状に上下して接離が行なわれることとなる。
【００２０】
以上の構成からなるこの発明のヘアーカーラーは次のようにして使用される。
(1) ヘアーカーラーのグリップ２のスイッチ５を操作し、ヒーター４に通電して加熱棒体３を介して毛髪巻胴部７を加熱する。
(2) ヘアーカーラーのグリップ２を片方の手で保持し、髪の毛の毛先を毛髪巻胴部７と押さえアーム９の挟持部１２との間に挟む。
(3) ヘアーカーラーを軸方向に回転させて髪の毛を毛髪巻胴部７に巻き付ける。
(4) 加熱により髪の毛に所望の巻き癖が付いた段階で、押さえアーム９の挟持部１２を髪の毛から離し、ヘアーカーラーを髪の毛から抜き取り、髪の毛の次の箇所に巻き付ける。
【符号の説明】
【００２１】
１                  本体部
２                  グリップ
３                  加熱棒体
４                  ヒーター
７                  毛髪巻胴部
８                  整髪用の突起
９                  押さえアーム
【図１】
2015160077.tif 000003
【図２】
2015160077.tif 000004
【図３】
2015160077.tif 000005